(57)【要約】【課題】濾過、圧搾および真空加熱乾燥によるスラリーの脱水に際して、圧搾効率を低下させずに、更なる脱水性能の向上を図る【解決手段】濾布を介してスラリーを濾過し、濾過ケーキを形成する濾過工程と、濾過ケーキを濾布を介して圧搾し、圧搾ケーキを形成する圧搾工程と、濾布を介して圧搾ケーキを加温しつつ負圧下に保持し乾燥する、真空加熱乾燥工程とを含み、圧搾工程にて、所定の脱水レベルまで脱水時圧力で圧搾を行った後、圧搾終了にかけて圧搾の圧力を圧搾ケーキの圧密化が実質的に起こらない非圧搾圧力まで漸減させるようにする。【選択図】図１
2005270828.tif 000002
【特許請求の範囲】
【請求項１】
濾布を介してスラリーを濾過し、濾過ケーキを形成する濾過工程と、
濾過ケーキを濾布を介して圧搾し、圧搾ケーキを形成する圧搾工程と、
濾布を介して圧搾ケーキを加温しつつ負圧下に保持し乾燥する、真空加熱乾燥工程とを含む、スラリーの脱水方法であって、
前記圧搾工程にて、所定の脱水レベルまで脱水時圧力で圧搾を行った後、圧搾終了にかけて圧搾の圧力を圧搾ケーキの圧密化が実質的に起こらない非圧搾圧力まで漸減させる、ことを特徴とするスラリーの脱水方法。
【請求項２】
圧搾ケーキの圧密化が実質的に起こらない非圧搾圧力で前記濾布を圧搾ケーキに密着させた状態を維持しつつ、前記真空加熱乾燥工程を行う、請求項１記載のスラリーの脱水方法。
【請求項３】
濾板間の濾室内に濾布を設け、前記濾布外面とこれに対向する濾板との間にダイアフラムを配し、スラリーを前記濾布内面側に供給するスラリー供給手段を設け、前記ダイアフラムとこれに対向する濾板との間に流体室を形成し、この流体室内に流体を供給する流体供給手段を設け、かつ前記濾室内を負圧化する負圧化手段を設けてなるフィルタープレスを用い；
前記スラリー供給手段によってスラリーを濾布内面側に加圧供給して、濾布を介してスラリーを濾過し、濾過ケーキを形成する濾過工程と、
流体を加温せずに前記流体供給手段により前記流体室内へ供給し、この非加温流体の供給圧により前記ダイアフラムが前記濾布を介して前記濾室内の濾過ケーキを圧搾し、この圧力で所定の脱水レベルまで圧搾を行った後、圧搾終了にかけて圧搾の圧力を圧搾ケーキの圧密化が実質的に起こらない非圧搾圧力まで漸減させて、圧搾ケーキを形成する圧搾工程と、
加温した流体を前記流体供給手段により前記流体室内へ供給し、この加温流体の供給圧により前記ダイアフラムが前記濾布を圧搾ケーキに密着させるが圧搾ケーキの圧密化が実質的に起こらない状態とし、これにより加温流体の熱量を圧搾ケーキに伝えるとともに、この圧搾ケーキの加温を行いつつ前記負圧化手段により前記濾室内を負圧下に保持し乾燥する真空加熱乾燥工程と、
を含むことを特徴とする、スラリーの脱水方法。
【請求項４】
濾板間の濾室内に濾布を設け、前記濾布外面とこれに対向する濾板との間にダイアフラムを配し、スラリーを前記濾布内面側に供給するスラリー供給手段を設け、前記ダイアフラムとこれに対向する濾板との間に流体室を形成し、流体供給ポンプを用いて前記流体室内に流体を供給する流体供給手段を設け、かつ前記濾室内を負圧化する負圧化手段を設けてなるフィルタープレスを用い；
前記スラリー供給手段によってスラリーを濾布内面側に加圧供給して、濾布を介してスラリーを濾過し、濾過ケーキを形成する濾過工程と、
流体を前記流体供給手段により前記流体室内へ供給し、この流体の供給圧により前記ダイアフラムが前記濾布を介して前記濾室内の濾過ケーキを圧搾し、この圧力で所定の脱水レベルまで圧搾を行った後、圧搾終了にかけて圧搾の圧力を圧搾ケーキの圧密化が実質的に起こらない非圧搾圧力まで漸減させて、圧搾ケーキを形成する圧搾工程と、
加温した流体を前記流体供給手段により前記流体室内へ供給し、この加温流体の供給圧により前記ダイアフラムが前記濾布を圧搾ケーキに密着させるが圧搾ケーキの圧密化が実質的に起こらない状態とし、これにより加温流体の熱量を圧搾ケーキに伝えるとともに、この圧搾ケーキの加温を行いつつ前記負圧化手段により前記濾室内を負圧下に保持し乾燥する真空加熱乾燥工程とを含み、かつ
前記真空加熱乾燥工程で用いる前記流体供給手段の流体供給ポンプとして、前記圧搾工程で用いる前記流体供給手段の流体供給ポンプとは別個で且つより消費エネルギーの少ないポンプを用いる、
ことを特徴とする、スラリーの脱水方法。
【請求項５】
濾板間の濾室内に濾布を設け、前記濾布外面とこれに対向する濾板との間にダイアフラムを配し、スラリーを前記濾布内面側に供給するスラリー供給手段を設け、前記ダイアフラムとこれに対向する濾板との間に流体室を形成し、前記流体室内に流体を供給する流体供給手段を設け、かつ前記濾室内を負圧化する負圧化手段を設けてなるフィルタープレス装置であって；
前記スラリー供給手段によってスラリーを濾布内面側に加圧供給して、濾布を介してスラリーを濾過し、濾過ケーキを形成する濾過工程と、
流体を前記流体供給手段により前記流体室内へ供給し、この流体の供給圧により前記ダイアフラムが前記濾布を介して前記濾室内の濾過ケーキを圧搾し、この圧力で所定の脱水レベルまで圧搾を行った後、圧搾終了にかけて圧搾の圧力を圧搾ケーキの圧密化が実質的に起こらない非圧搾圧力まで漸減させて、圧搾ケーキを形成する圧搾工程と、
加温した流体を前記流体供給手段により前記流体室内へ供給し、この加温流体の供給圧により前記ダイアフラムが前記濾布を圧搾ケーキに密着させた状態とし、これにより加温流体の熱量を圧搾ケーキに伝えるとともに、この圧搾ケーキの加温を行いつつ前記負圧化手段により前記濾室内を負圧下に保持し乾燥する真空加熱乾燥工程と、
を行うように構成したことを特徴とする、フィルタープレス装置。
【請求項６】
前記真空加熱乾燥工程で、前記加温流体の供給圧により前記ダイアフラムが前記濾布を圧搾ケーキに密着させるに際し、圧搾ケーキの圧密化が実質的に起こらないような供給圧で、前記加温流体を流体室に供給するように構成した、請求項５記載のフィルタープレス装置。
【請求項７】
前記圧搾工程で、流体を加温せずに前記流体供給手段により前記流体室内へ供給し、この非加温流体の供給圧により前記圧搾を行う、請求項５または６記載のフィルタープレス装置。
【請求項８】
前記流体供給手段は、流体供給ポンプを用いて前記流体室内に流体を供給するものであり、前記真空加熱乾燥工程で用いる前記流体供給手段の流体供給ポンプと、前記圧搾工程で用いる前記流体供給手段の流体供給ポンプとを個別に備え、前記真空加熱乾燥工程で用いる流体供給ポンプは、前記圧搾工程で用いる流体供給ポンプより消費エネルギーの少ないポンプとなした、請求項５〜７のいずれか１項に記載のフィルタープレス装置。
【発明の詳細な説明】
【技術分野】
【０００１】
本発明は、主に、上水汚泥や下水処理場の排水、あるいは工場廃水等の脱水に用いられる、スラリーの脱水方法、ならびにフィルタープレス装置に関する。
【背景技術】
【０００２】
従来から、上水汚泥等はフィルタープレスを用いて脱水処理されてきた。特に近年では、水質悪化等が原因で設備の処理能力が不足してきているため、その解決策として、フィルタープレスに供給するスラリーを加温することにより、処理能力の向上を図ることも行われている。
【０００３】
また脱水性能を更に向上させるべく、濾板間の濾室内に設けられた濾布外面とこれに対向する濾板との間にダイアフラムを配し、ダイアフラムとこれに対向する濾板との間に流体室を形成し、流体供給ポンプを用いて前記流体室内に流体を供給する流体供給手段を設け、スラリーを濾布内面側に加圧供給して、濾布を介してスラリーを濾過し、濾過ケーキを形成した後、前記流体供給手段により前記流体室内へ流体を供給し、この流体の供給圧によりダイアフラムが濾布を介して濾過ケーキを圧搾することも提案されている（特許文献１参照）。
【０００４】
さらに、圧搾後、加温した流体を流体室内へ供給し、圧搾を継続しつつダイアフラム内の加温流体の熱量を圧搾ケーキに伝え、圧搾ケーキを加温するとともに、濾室内を真空ポンプにより吸引して負圧化し、圧搾ケーキ内に残留する水分を気化させ濾室外に排出する真空加熱乾燥工程を行うことも提案されている（特許文献１参照）。
【０００５】
しかしながら、従来の技術には次のような問題点がある。
圧搾工程における脱水性能を向上しようとすると、圧搾圧を高めることになるが、過度の圧力で圧搾を行うと、圧搾ケーキが圧密化し、水分がケーキ内部から外部へ逃げ出す通路が少なくなる或いは細くなるため、後の真空加熱乾燥において蒸気がケーキ外部へ逃げ出すことができなくなり、脱水性能が低下していた。
この問題は、圧搾ケーキが圧密化しないように低い圧力で圧搾を行えば回避できるが、その場合、圧搾に長時間を要することになり、圧搾効率が低下する。
【０００６】
また、従来は、真空加熱乾燥工程においてもケーキの圧搾を行っており、この圧搾によって真空加熱乾燥中においても圧密化を進行させていたため、この点でも脱水性能の低下を来たしていた。
【特許文献１】特開２０００−１５３１０３号公報
【発明の開示】
【発明が解決しようとする課題】
【０００７】
したがって、本発明の主たる課題は、濾過、圧搾および真空加熱乾燥によるスラリーの脱水に際して、圧搾効率を低下させずに、更なる脱水性能の向上を図ることにある。
【課題を解決するための手段】
【０００８】
上記課題を解決した本発明は次記のとおりである。
＜請求項１＞
濾布を介してスラリーを濾過し、濾過ケーキを形成する濾過工程と、
濾過ケーキを濾布を介して圧搾し、圧搾ケーキを形成する圧搾工程と、
濾布を介して圧搾ケーキを加温しつつ負圧下に保持し乾燥する、真空加熱乾燥工程とを含む、スラリーの脱水方法であって、
前記圧搾工程にて、所定の脱水レベルまで脱水時圧力で圧搾を行った後、圧搾終了にかけて圧搾の圧力を脱水作用が実質的に無い非脱水圧力まで漸減させる、ことを特徴とするスラリーの脱水方法。
【０００９】
（作用効果）
このように、圧搾圧を圧搾終了にかけて漸減することにより、より水分が多く圧密化し難い状況では高圧で圧搾を行い、水分が少なくなり圧密化が進行し易い状況では低圧で圧搾を行うことができ、圧搾効率を犠牲にせずに十分な圧搾性能を発揮させることができ、しかも、圧密化が進行し難いため、後の真空加熱乾燥工程における脱水性能を向上させることができる。なお、本発明における濾過工程、圧搾工程及び真空加熱乾燥工程は、その２つ以上を同時に実行することができ、したがって、本発明には濾過工程の途中で圧搾工程を開始する、圧搾工程の途中から真空加熱乾燥工程を開始するといったことも可能である。
【００１０】
＜請求項２＞
圧搾ケーキの圧密化が実質的に起こらない非圧搾圧力で前記濾布を圧搾ケーキに密着させた状態を維持しつつ、前記真空加熱乾燥工程を行う、請求項１記載のスラリーの脱水方法。
【００１１】
（作用効果）
前述のとおり、従来は、真空加熱乾燥工程で圧搾を併用していたが、その場合、圧密化の進行により蒸気の逃げ道が少なくなる或いは細くなる事態が発生していた。この問題点に対して、当初、単に圧搾を行わないようにすれば足りると考えられたが、その場合、濾布と圧搾ケーキとの密着性が低下する結果、伝熱性能が低下し、加温効率が低下するという新たな問題点が発生することが判明した。そこで、本請求項２記載の発明は、圧搾ケーキの圧密化が実質的に起こらない程度の弱い圧力で濾布と圧搾ケーキとの密着を確保することによって、加温効率を低下させずに真空加熱乾燥工程における圧密化の進行をも防止したものである。
【００１２】
＜請求項３＞
濾板間の濾室内に濾布を設け、前記濾布外面とこれに対向する濾板との間にダイアフラムを配し、スラリーを前記濾布内面側に供給するスラリー供給手段を設け、前記ダイアフラムとこれに対向する濾板との間に流体室を形成し、この流体室内に流体を供給する流体供給手段を設け、かつ前記濾室内を負圧化する負圧化手段を設けてなるフィルタープレスを用い；
前記スラリー供給手段によってスラリーを濾布内面側に加圧供給して、濾布を介してスラリーを濾過し、濾過ケーキを形成する濾過工程と、
流体を加温せずに前記流体供給手段により前記流体室内へ供給し、この非加温流体の供給圧により前記ダイアフラムが前記濾布を介して前記濾室内の濾過ケーキを圧搾し、この圧力で所定の脱水レベルまで圧搾を行った後、圧搾終了にかけて圧搾の圧力を圧搾ケーキの圧密化が実質的に起こらない非圧搾圧力まで漸減させて、圧搾ケーキを形成する圧搾工程と、
加温した流体を前記流体供給手段により前記流体室内へ供給し、この加温流体の供給圧により前記ダイアフラムが前記濾布を圧搾ケーキに密着させるが圧搾ケーキの圧密化が実質的に起こらない状態とし、これにより加温流体の熱量を圧搾ケーキに伝えるとともに、この圧搾ケーキの加温を行いつつ前記負圧化手段により前記濾室内を負圧下に保持し乾燥する真空加熱乾燥工程と、
を含むことを特徴とする、スラリーの脱水方法。
【００１３】
（作用効果）
本項記載の発明は、フィルタープレスを用いた脱水への応用例である。従来のフィルタープレスでは、圧搾に用いる流体および真空加熱乾燥に用いる流体ともに加温流体を用いていたが、圧搾工程で加温を行う場合、その熱量は圧搾により多量に排出される濾液とともに系外へ排出されてしまうため、継続的な加温が必要となり、エネルギー消費が嵩むという問題点があった。また、圧搾圧及び温度の双方を高く設定すると、ゴム製または樹脂製のダイアフラムや樹脂製濾板を用いる場合には、それらの寿命が短くなるという問題点も有していた。
【００１４】
前述のとおり、本発明ではケーキの圧密化を防止して脱水性能を向上させるものであるため、圧搾における加熱を省略しても十分な脱水性能を発揮できる。そこで、本項記載の発明では、圧搾工程で用いる流体を加温しないこととしたものである。
【００１５】
＜請求項４＞
濾板間の濾室内に濾布を設け、前記濾布外面とこれに対向する濾板との間にダイアフラムを配し、スラリーを前記濾布内面側に供給するスラリー供給手段を設け、前記ダイアフラムとこれに対向する濾板との間に流体室を形成し、流体供給ポンプを用いて前記流体室内に流体を供給する流体供給手段を設け、かつ前記濾室内を負圧化する負圧化手段を設けてなるフィルタープレスを用い；
前記スラリー供給手段によってスラリーを濾布内面側に加圧供給して、濾布を介してスラリーを濾過し、濾過ケーキを形成する濾過工程と、
流体を前記流体供給手段により前記流体室内へ供給し、この流体の供給圧により前記ダイアフラムが前記濾布を介して前記濾室内の濾過ケーキを圧搾し、この圧力で所定の脱水レベルまで圧搾を行った後、圧搾終了にかけて圧搾の圧力を圧搾ケーキの圧密化が実質的に起こらない非圧搾圧力まで漸減させて、圧搾ケーキを形成する圧搾工程と、
加温した流体を前記流体供給手段により前記流体室内へ供給し、この加温流体の供給圧により前記ダイアフラムが前記濾布を圧搾ケーキに密着させるが圧搾ケーキの圧密化が実質的に起こらない状態とし、これにより加温流体の熱量を圧搾ケーキに伝えるとともに、この圧搾ケーキの加温を行いつつ前記負圧化手段により前記濾室内を負圧下に保持し乾燥する真空加熱乾燥工程とを含み、かつ
前記真空加熱乾燥工程で用いる前記流体供給手段の流体供給ポンプとして、前記圧搾工程で用いる前記流体供給手段の流体供給ポンプとは別個で且つより消費エネルギーの少ないポンプを用いる、
ことを特徴とする、スラリーの脱水方法。
【００１６】
（作用効果）
従来は、圧搾工程および真空加熱乾燥工程ともに、加温流体を用いて圧搾を行っていたため、加温流体の供給ポンプの消費エネルギーが嵩んでいた。
【００１７】
これに対して、前述のとおり、本発明では真空加熱乾燥において必要となる加温流体の供給圧は低くて足り、かつ真空加熱乾燥では濾液排出による熱量の排出も著しく少ないため、新たな加温流体を継続的に供給する必要もない。
【００１８】
そこで、本項記載の発明は、真空加熱乾燥工程で用いる流体供給ポンプと、圧搾工程で用いる流体供給ポンプとを個別化し、かつ前者のポンプとして消費エネルギーのより少ないポンプを用いることとし、真空加熱乾燥工程における消費エネルギーの削減を図ったものである。
【００１９】
＜請求項５＞
濾板間の濾室内に濾布を設け、前記濾布外面とこれに対向する濾板との間にダイアフラムを配し、スラリーを前記濾布内面側に供給するスラリー供給手段を設け、前記ダイアフラムとこれに対向する濾板との間に流体室を形成し、前記流体室内に流体を供給する流体供給手段を設け、かつ前記濾室内を負圧化する負圧化手段を設けてなるフィルタープレス装置であって；
前記スラリー供給手段によってスラリーを濾布内面側に加圧供給して、濾布を介してスラリーを濾過し、濾過ケーキを形成する濾過工程と、
流体を前記流体供給手段により前記流体室内へ供給し、この流体の供給圧により前記ダイアフラムが前記濾布を介して前記濾室内の濾過ケーキを圧搾し、この圧力で所定の脱水レベルまで圧搾を行った後、圧搾終了にかけて圧搾の圧力を圧搾ケーキの圧密化が実質的に起こらない非圧搾圧力まで漸減させて、圧搾ケーキを形成する圧搾工程と、
加温した流体を前記流体供給手段により前記流体室内へ供給し、この加温流体の供給圧により前記ダイアフラムが前記濾布を圧搾ケーキに密着させた状態とし、これにより加温流体の熱量を圧搾ケーキに伝えるとともに、この圧搾ケーキの加温を行いつつ前記負圧化手段により前記濾室内を負圧下に保持し乾燥する真空加熱乾燥工程と、
を行うように構成したことを特徴とする、フィルタープレス装置。
【００２０】
（作用効果）
請求項１記載の発明と同様の作用効果を奏する。
【００２１】
＜請求項６＞
前記真空加熱乾燥工程で、前記加温流体の供給圧により前記ダイアフラムが前記濾布を圧搾ケーキに密着させるに際し、圧搾ケーキの圧密化が実質的に起こらないような供給圧で、前記加温流体を流体室に供給するように構成した、請求項５記載のフィルタープレス装置。
【００２２】
（作用効果）
請求項２記載の発明と同様の作用効果を奏する。
【００２３】
＜請求項７＞
前記圧搾工程で、流体を加温せずに前記流体供給手段により前記流体室内へ供給し、この非加温流体の供給圧により前記圧搾を行う、請求項５または６記載のフィルタープレス装置。
【００２４】
（作用効果）
請求項３記載の発明と同様の作用効果を奏する。
【００２５】
＜請求項８＞
前記流体供給手段は、流体供給ポンプを用いて前記流体室内に流体を供給するものであり、前記真空加熱乾燥工程で用いる前記流体供給手段の流体供給ポンプと、前記圧搾工程で用いる前記流体供給手段の流体供給ポンプとを個別に備え、前記真空加熱乾燥工程で用いる流体供給ポンプは、前記圧搾工程で用いる流体供給ポンプより消費エネルギーの少ないポンプとなした、請求項５〜７のいずれか１項に記載のフィルタープレス装置。
【００２６】
（作用効果）
請求項４記載の発明と同様の作用効果を奏する。
【発明の効果】
【００２７】
以上のとおり本発明によれば、濾過、圧搾および真空加熱乾燥によるスラリーの脱水に際して、圧搾効率を低下させずに、更なる脱水性能の向上を図ることができるようになる、等の利点がもたらされる。
【発明を実施するための最良の形態】
【００２８】
以下、本発明の一実施形態について添付図面を参照しながら詳説する。
（第１の実施形態）
図１は、本発明に係るフィルタープレス装置例１のフロー図を示しており、この装置１は圧搾型フィルタープレス２によりスラリーの脱水を行うものである。図２は圧搾型フィルタープレス２の概略的正面図を示している。
【００２９】
本例のフィルタープレス２は、いわゆる凹版型に属するものであり、濾板の配列形態からは水平型に属するものである。すなわち、水平方向に平行に並べられた多数の濾板２Ａ，２Ａ…を有し、各濾板２Ａには隣の濾板２Ａと対向する面に凹部２ａが形成されており、隣り合う濾板２Ａ，２Ａ間に、１対の濾布２Ｂ，２Ｂがそれぞれ吊り下げられている。これら濾板２Ａ，２Ａ…は、水平方向に伸縮するシリンダー２Ｓにより相互間隔が調節されるように構成されており、このシリンダー２Ｓの伸張により隣り合う濾板２Ａ，２Ａが接触して締め付けられ、隣り合う濾板２Ａ，２Ａ間において１対の濾布２Ｂ，２Ｂにより取り囲まれた濾室２Ｃが形成される。この濾室２Ｃ内にはスラリー供給路３Ｄｉが通じている。
【００３０】
また、濾布２Ｂ，２Ｂの各外面と、これにそれぞれ対面する濾板面２Ａ，２Ａにおける凹部２ａ，２ａとの間に、表面に濾液溝２ｅ，２ｅ…が形成された１対のダイアフラム２Ｅ，２Ｅがそれぞれ配され、このダイアフラム２Ｅ，２Ｅと濾板面２Ａ，２Ａとの間に流体室２Ｄ，２Ｄがそれぞれ形成されている。
【００３１】
この流体室２Ｄ，２Ｄ内には、内部流体供給路２Ｆｉ，２Ｆｉおよび内部流体排出路２Ｇｉ，２Ｇｉがそれぞれ通じている。したがって、流体室２Ｄ，２Ｄ内への流体Ｆの供給・排出が可能なようになっている。また、ダイアフラム２Ｅ，２Ｅの濾液溝２ｅ，２ｅ…とこれに対面する濾布外面２Ｂ，２Ｂとの隙間ＳＰ，ＳＰ（濾液溝２ｅ，２ｅ…内含む）には、その下端部おいて内部濾液排出路２Ｈｉ，２Ｈｉがそれぞれ通じており、上端部において内部圧気供給路２Ｊｉ，２Ｊｉがそれぞれ通じている。
【００３２】
本例１は、かかるフィルタープレス２に対してスラリーを供給するスラリー供給手段３を備える。図示のスラリー供給手段３は、スラリー貯留槽３Ａと、スラリー貯留槽３Ａ内のスラリーＳをスラリー供給路３Ｄｉを介して濾室２Ｃ内に加圧供給するスラリー供給ポンプ３Ｐとを備えるものである。スラリー供給路３Ｄｉにおけるスラリー供給ポンプ３Ｐの出側にはスラリー供給弁３Ｖｉが設けられ、このスラリー供給弁３Ｖｉと濾室２Ｃとの間には、濾室２Ｃ内の圧力を計測するための濾室内圧力センサ３ｓが設けられている。
【００３３】
また、本例１は、フィルタープレス２に対してダイアフラム２Ｅ，２Ｅ…による圧搾を行うべく、流体（水等）Ｆを前述の流体室２Ｄ内へ供給する流体供給手段４を備える。図示の流体供給手段４は、流体貯留槽４Ａと、その貯留流体Ｆを加温する流体加温手段４Ｂ（例えば蒸気吹込み装置）および貯留流体Ｆを攪拌する攪拌装置４Ｃと、流体貯留槽４Ａ内の流体Ｆを外部流体供給路２Ｆｏおよび内部流体供給路２Ｆｉを介して流体室２Ｄ内に加圧供給する流体供給ポンプ４Ｐとを備えている。また、外部流体供給路２Ｆｏには流体供給弁４Ｖｉが配設されるとともに、この流体供給弁４Ｖｉの流体室２Ｄ側には流体供給圧センサ４ｓが設けられている。
【００３４】
流体室２Ｄ内には内部流体排出路２Ｇｉが連通されており、この内部流体排出路２Ｇｉは流体返送路５を介して流体貯留槽４Ａに連通されている。流体返送路５には、返送流量調整弁５Ｖが設けられるとともに、その流体室２Ｄ側には流量センサ５ｓが設けられており、この流量センサ５ｓによる検出流量に応じて返送流量調整弁５Ｖの開度が自動調整されるようになっている。
【００３５】
また、本例１では、フィルタープレス２の内部濾液排出路２Ｈｉ，２Ｈｉが外部濾液排出路２Ｈｏを介して濾液貯留槽８Ｃに連通している。この外部濾液排出路２Ｈｏにおける濾液貯留槽８Ｃの上流側には凝縮槽８Ａが設けられており、濾液および気化液分は凝縮槽８Ａに一時的に貯留された後、所定量貯留された時点で濾液貯留槽８Ｃに供給されるようになっている。また濾液量を検出するために、凝縮槽８Ａの入側には積算流量センサ８ｓが設けられている。この積算流量センサ８ｓに代えて、濾液量計測手段として濾液貯留槽８Ａ内にレベルセンサを設置し、液面レベルから濾液量を計測することもできる。さらに、本装置例１では、凝縮槽８Ａに対して真空ポンプ８Ｄが連通されており、この真空ポンプ８Ｄを作動させることにより、凝縮槽８Ａ、濾液排出路２Ｈｏ，２Ｈｉを介して、ダイアフラム２Ｅの濾液溝２ｅと濾布２Ｂ外面との隙間ＳＰ，ＳＰを負圧にできるように構成されている。
【００３６】
さらにまた本例１では、ダイアフラム２Ｅの濾液溝２ｅと濾布２Ｂ外面との隙間ＳＰ，ＳＰに連通する圧縮空気供給路２Ｊｉが設けられており、この圧縮空気供給路２Ｊｉを通じて圧縮空気を供給することにより、濾室内の濾液を吹き飛ばす、いわゆるブロー工程を行うことができるように構成されている。
【００３７】
本発明では、上記各構成以外にも、濾室内に洗浄液を供給するための手段等、公知のフィルタープレス装置の構成を採用することができる。
【００３８】
次に、上述のフィルタープレス装置を用いた本発明に係る脱水手順について説明する。なお、この脱水手順を実行するためにフィルタープレス装置にコンピュータ等の制御装置を備え付けることができる。
【００３９】
スラリーの脱水に際しては、主に濾過工程、圧搾工程、真空加熱乾燥工程とを行う。濾過工程においては、先ずシリンダー２Ｓ（図２のみ図示）の伸張により濾板２Ａ，２Ａ…を締め付けて閉枠し、図３に示すように濾室２Ｃを形成する。しかる後、スラリー供給弁３Ｖｉを開けてスラリー供給ポンプ３Ｐを作動させるとともに、濾液貯留槽側の切替弁８ｖを開ける。これにより、スラリー貯留槽３Ａに貯留されていたスラリーＳが、スラリー供給路３Ｄｉを介して濾室２Ｃ内に加圧供給される。このスラリーＳは、適宜の加温手段により予め加温されていても良い。濾室２Ｃ内のスラリーＳ１は、供給圧力によって濾液のみが濾布２Ｂ，２Ｂを通り、濾過が進行する。その結果、濾室２Ｃ内には濾過ケーキＫ１が形成される。濾液はダイアフラム２Ｅ，２Ｅ表面の濾液溝２ｅ，２ｅ…を通り、内部濾液排出路２Ｈｉ，２Ｈｉならびに外部濾液排出路２Ｈｏを介して凝縮槽８Ａ内に排出される。所定時間経過したならばスラリー供給ポンプ３Ｐを停止させ、スラリー供給弁３Ｖｉを閉じて濾過工程を終了する。
【００４０】
この濾過工程がある程度まで進行した時点で、あるいは濾過工程が終了した後に、流体供給弁４Ｖｉを開け、流体供給ポンプ４Ｐを作動させて、圧搾工程を開始する。これにより、図４に示すように予め加温手段４Ｂにより加温された温水等の加温流体Ｆが、流体貯留槽４Ａから外部流体供給路２Ｆｏ、流体供給路２Ｆｉ，２Ｆｉを介して流体室２Ｄ，２Ｄ内に供給され、さらに流体返送路５を介して流体貯留槽４Ａへ返送される。つまり加温流体Ｆは、流体貯留槽４Ａと流体室２Ｄ，２Ｄとの間を循環され、流体室２Ｄ，２Ｄ内には所定温度の流体が供給される。流体室２Ｄ，２Ｄ内に加温流体Ｆが供給されると、その供給圧（流体室内圧）に応じてダイアフラム２Ｅ，２Ｅが膨出され、濾布２Ｂ，２Ｂを介して濾過ケーキＫ１が圧搾され、図４に示すようにさらに脱水された圧搾ケーキＫ２が形成される。また、加温流体Ｆの熱量がダイアフラム２Ｅ，２Ｅ及び濾布を介して圧搾中のケーキに伝達され、脱水が促進される。ケーキ中から排出される濾液は、濾過工程と同様に、ダイアフラム２Ｅ，２Ｅの濾液溝２ｅ，２ｅ…を通り、内部濾液排出路２Ｈｉ，２Ｈｉならびに外部濾液排出路２Ｈｏを介して凝縮槽８Ａ内に排出される。
【００４１】
かかる圧搾工程において、本発明では、所定の脱水レベルまで脱水時圧力で圧搾を行った後、圧搾終了にかけて圧搾の圧力を圧搾ケーキの圧密化が実質的に起こらない非圧搾圧力まで漸減させる。このために本実施形態では、濾室内圧力が圧搾開始当初は圧搾圧（流体供給圧もしくは流体室内圧）と同等であるのに対して経時的に低下する現象を利用する。すなわち、濾室内圧力を圧力センサ３ｓにより検出し、この検出圧力に基づき、濾室内圧力と圧搾圧とが同等となるように流体供給弁４Ｖｉの開度を調整する。この場合、更に流体供給圧センサ４ｓによる検出結果に基づき、調整圧と流体供給圧との間にずれが発生していないかを検出し、ずれが発生しているときには流体供給弁４Ｖｉの開度を調整し直す。この一方で、かかる入側圧力調整に伴い流体の供給流量が低下すると、流体返送路５の流量センサ５ｓにより検出される流体排出流量に基づき、予め定めた設定流量となるように流量調整弁５Ｖの開度が調整される。
【００４２】
かくして、所定の脱水レベルまで比較的高い脱水時圧力で圧搾を行った後、圧搾終了にかけて圧搾の圧力を圧搾ケーキの圧密化が実質的に起こらない非圧搾圧力まで漸減させることができる。圧搾工程は、処理対象物にもよるが、０．５〜３時間、特に１〜２時間程度とするのが好適である。
【００４３】
圧搾圧力が非圧搾圧力まで減少したならば、次に真空加熱乾燥工程を開始する。この開始時点は、経過時間や、濾室内圧力センサ３ｓ、流体供給圧センサ４ｓ、濾液の積算流量計８ｓ等による濾液量によって決定することができる。
【００４４】
真空加熱乾燥工程は、請求項２記載の発明に従って、圧搾圧力を圧搾ケーキの圧密化が実質的に起こらない非圧搾圧力で、濾布を圧搾ケーキに密着させた状態を維持しつつ行うのが好ましい。この場合、圧搾工程で圧搾圧力が非圧搾圧力まで減少したならば、その圧力を維持するべく流体供給弁および流量調整弁の開度を固定し、また加温流体の供給を維持しつつ、真空ポンプ８Ｄを作動させるのが好ましいが、圧搾工程と真空加熱乾燥工程の間において、ケーキ洗浄等の補助的な工程を行う場合等、必要に応じて、加温流体の供給を停止し圧搾圧力を開放した後に、再び非圧搾圧力まで上昇させることもできる。さらに、圧搾圧力が非圧搾圧力まで減少する前の圧搾途中時点から真空ポンプ８Ｄを作動させ、真空加熱乾燥工程を開始し、その後圧搾圧力が非圧搾圧力まで減少した後まで真空加熱乾燥工程を継続することもできる。さらにまた、圧搾圧力が非圧搾圧力まで減少し、この非圧搾圧力を所定時間維持した後に、真空ポンプ８Ｄを作動させて真空加熱乾燥工程を開始することもできる。
【００４５】
この場合において、脱水時圧力および非圧搾圧力は脱水対象や機械の種類・性能等に応じて適宜定めることができる。フィルタープレスの場合、図７に示すように、脱水時圧力を０．７〜１．５ＭＰａとし、非圧搾圧力を０．１〜０．７ＭＰａ、特に０．２〜０．５ＭＰａとするのが好適である。
【００４６】
かくして、圧搾工程において水分が比較的に多く圧密化し難い状況では高圧で圧搾を行い、水分が少なくなり圧密化が進行し易い状況では低圧で圧搾を行うことができ、圧搾効率を犠牲にせずに十分な圧搾性能を発揮させることができ、しかも、圧密化が進行し難いため、真空加熱乾燥工程における乾燥性能が向上する。また真空加熱乾燥工程では、圧搾ケーキの圧密化が実質的に起こらない非圧搾圧力で、濾布を圧搾ケーキに密着させた状態を維持するため、加温効率を低下させず且つ圧密化も進行させずに、ケーキ内に蒸気の排出流路が確保された状態で効率良く乾燥を行うことができる。
【００４７】
所定の時間が経過したならば、流体供給ポンプ４Ｐおよび真空ポンプ３Ｄを停止させて真空加熱乾燥工程を終了させる。この際、ダイアフラム２Ｅ，２Ｅが収縮し、これに伴い、流体が流体室２Ｄから排出される。
【００４８】
しかる後、脱水ケーキＫ３が濾室２Ｃ内に形成されているのでこれの排出工程にはいる。ケーキ排出工程ではまず、図２に示すように、シリンダー２Ｓが収縮し、これに連結された濾板２Ａ，２Ａ…が順次牽引され、各濾板間２Ａ，２Ａが一定間隔となるように開枠される。この時、図６に示すように、濾布２Ｂ，２Ｂにより取り囲まれた濾室２Ｃ内に形成された脱水ケーキＫ３は自重により、濾布２Ｂ，２Ｂから剥離し排出される。通常はこの開枠だけで脱水ケーキＫ３の剥離が可能であるが、剥離性が悪い場合には、濾布２Ｂ，２Ｂを支持する濾布サポートバー２Ｋを揺らす手段を設けておき、これにより濾布２Ｂ，２Ｂを揺らすことにより、濾布２Ｂ，２Ｂに付着した脱水ケーキを積極的に剥離するように構成することができる。
【００４９】
（第２の実施形態）
前述したように、従来のフィルタープレスでは、圧搾に用いる流体および真空加熱乾燥に用いる流体ともに加温流体を用いていたが、圧搾工程で加温を行う場合、その熱量は圧搾により多量に排出される濾液とともに系外へ排出されてしまうため、継続的な加温が必要となり、エネルギー消費が嵩む。また、圧搾圧及び温度の双方を高く設定すると、ゴム製のダイアフラムや樹脂製濾板を用いる場合には、それらの寿命が短くなるという問題点もある。
【００５０】
よって、圧搾工程で用いる流体を加温しないようにするのが好ましい。具体的には、図８に示すように、流体返送路５における流量調整弁５Ｖと流体貯留槽４Ａとの間から、流体貯留槽４Ａと流体供給ポンプ４Ｐとの間の流路に連通するバイパス路６を設けるとともに、流体返送路５及びバイパス路におけるバイパス部位よりも下流側に切替弁６Ｖ，６Ｖをそれぞれ設け、圧搾工程全体にわたり、あるいは圧搾工程中に真空加熱乾燥を開始する場合にはその前において、切替弁６をバイパス路６側のみ連通させて、流体を加温せずに循環利用するように構成できる。この場合、流体貯留槽４Ａの加温手段４Ｂは、真空加熱乾燥工程に入る前の貯留流体Ｆの加温のみを行えば足りるため、従来よりも省エネルギーな脱水が可能になる。しかも、本発明の圧搾圧の漸減による脱水性能の向上により、従来のように圧搾工程で濾室内のケーキを加温しなくても、十分な脱水性能の向上を図ることができる。
【００５１】
この図８に示す形態では、第１の実施形態に対して新たな構成を必要とするが、第１の実施形態において、流量調整弁を閉じた状態で圧搾工程を行い、流体を循環させないようにすると、全く構成変更なしに、供給流体を非加温にすることができる。この場合、圧搾圧は、流体供給ポンプ４Ｐの制御および流体供給弁４Ｖｉの開度調整により変化させることができる。
【００５２】
（第３の実施形態）
他方、前述のとおり、本発明では真空加熱乾燥において必要となる加温流体の供給圧は低くて足り、かつ真空加熱乾燥では濾液排出による熱量の排出も著しく少ないため、新たな加温流体を継続的に供給する必要もない。
【００５３】
そこで、図９に示すように、圧搾工程用の流体供給ポンプ４Ｐと、真空加熱乾燥工程用の流体供給ポンプとを個別に設け、かつ真空加熱乾燥工程用の流体供給ポンプ８として消費エネルギーのより少ない小型ポンプを用いることとするのが好ましい。具体的には、前述の第１の実施形態において、外部流体供給路２Ｆｏにおける流体供給弁４Ｖｉと流体貯留槽４Ａとの間に、圧搾工程用の流体供給ポンプ４Ｐと、真空加熱乾燥工程用の流体供給ポンプとを並列に接続し、動作させるポンプを工程別に切り替えることで実現できる。
【００５４】
なお、本第３の実施形態は、第２の実施形態と組み合わせて用いることができ、その場合、消費エネルギーを更に削減できる。
【００５５】
（その他）
（イ）濾室内圧力や流体排出流量を検出し、この検出結果に応じて流体供給圧力や流体排出流量を変化させているが、予め定めたスケジュールに従って経時的に流体供給圧力や流体排出流量を変化させることもできる。さらに、これらを組み合わせて、濾室内圧力や流体排出流量を検出し、この検出結果に応じて予め定めた経時的スケジュールの範囲内で流体供給圧力や流体排出流量を変化させるようにすることもできる。
【００５６】
（ロ）本発明においては、上記実施形態のように１対の濾布２Ｂ，２Ｂの両外側にそれぞれダイアフラム２Ｅ，２Ｅを配する必要はなく、１対の濾布の一方の濾布の外側にのみダイアフラムを配し、他方の濾布の外側面には濾板が対面するようにすることもできる、この場合、その他方の濾布外面と対面する濾板面に濾液溝を形成する（図示せず）。上記実施形態のように２枚の濾布にそれぞれ対応して２枚のダイアフラムを設ける場合には、流体室は２室形成されるが、ダイアフラムが１枚の場合には１室のみの流体室となる。
【００５７】
（ハ）上記実施形態では、スラリーを濾室下端部から供給するアンダーフィードとしているが、スラリーを濾室上端部から供給するアッパーフィードや、濾室の高さ方向の略中央かつ幅方向の略中央からスラリーを供給するセンターフィードとすることもできる。
【００５８】
（ニ）濾板は、金属または樹脂により形成することができ、またダイアフラム２Ｅ，２Ｅはゴム材または樹脂材で形成することができる。ダイアフラム２Ｅ，２Ｅにおける少なくとも濾布を介して濾室と対応する部分を、熱伝導性の高い材料、例えば可撓性を有する程度の薄さの鋼板（特に防錆性の観点からステンレス鋼板が好ましい）などにより形成するのも好ましい形態である。例えば、実質的に前述の加熱効果に寄与しないダイアフラムの外縁部分を断熱材等の熱伝導性の低い可撓性材料で形成し、実質的に加熱効果に寄与する中央部分を金属等の熱伝導性の高い材料で形成することもできる。
【００５９】
（ホ）図示形態のフィルタープレスは濾布吊り下げ型であるが、本発明は濾布走行型のフィルタープレスにも適用可能である。
【００６０】
（ヘ）さらに、本発明においては、前述具体例における弁の開閉やポンプの始動・停止、シリンダーによる閉枠・開枠等は、適宜の制御装置により自動制御で行わしめることができる。
【００６１】
（ト）上記実施形態において、圧搾工程が終了した後、続いてブロー工程を行うことを推奨する。本ブロー工程においては、図５に示すように、図示しないコンプレッサーからの圧縮空気を、内部圧気供給路２Ｊｉ，２Ｊｉを介して、濾布２Ｂ，２Ｂとダイアフラム２Ｅ，２Ｅとの間に供給し、ダイアフラム２Ｅ，２Ｅの濾液溝２ｅ，２ｅに残留する濾液を、内部濾液排出路２Ｈｉ，２Ｈｉ、外部濾液排出路２Ｈｏを介して濾液貯留槽８Ｃへブローする。図示しないが、適宜の段階で、他の配管内の残留液体の排出を目的としたブローも行うことができる。
【産業上の利用可能性】
【００６２】
本発明は、スラリーの種類や脱水機の構造に限定されるものではなく、広範な用途に適用できるものであり、顔料、染料、ファインケミカル製品、医薬品等の工業製品（脱水した固形分が製品となるもの）、工場廃水等の減容化またはリサイクル、水処理（上下水）の汚泥脱水等に適用できるものである。またフィルタープレスを用いた脱水に好適なものである。
【図面の簡単な説明】
【００６３】
【図１】第１の実施形態のフィルタープレス装置例を示すフロー図である。
【図２】フィルタープレスの正面図である。
【図３】フィルタープレスの要部を示す概略縦断面図である。
【図４】フィルタープレスの要部を示す概略縦断面図である。
【図５】フィルタープレスの要部を示す概略縦断面図である。
【図６】フィルタープレスの要部を示す概略縦断面図である。
【図７】圧搾圧の変化例を示すグラフである。
【図８】第２の実施形態のフィルタープレス装置例を示すフロー図である。
【図９】第３の実施形態のフィルタープレス装置例を示すフロー図である。
【符号の説明】
【００６４】
１…スラリー脱水装置、２…フィルタープレス、３…スラッジ供給手段、４…流体供給手段。
【図１】
2005270828.tif 000003
【図２】
2005270828.tif 000004
【図３】
2005270828.tif 000005
【図４】
2005270828.tif 000006
【図５】
2005270828.tif 000007
【図６】
2005270828.tif 000008
【図７】
2005270828.tif 000009
【図８】
2005270828.tif 000010
【図９】
2005270828.tif 000011
【手続補正書】
【提出日】平成16年5月13日(2004.5.13)
【手続補正１】
【補正対象書類名】明細書
【補正対象項目名】全文
【補正方法】変更
【補正の内容】
【発明の詳細な説明】
【技術分野】
【０００１】
本発明は、主に、上水汚泥や下水処理場の排水、あるいは工場廃水等の脱水に用いられる、スラリーの脱水方法、ならびにフィルタープレス装置に関する。
【背景技術】
【０００２】
従来から、上水汚泥等はフィルタープレスを用いて脱水処理されてきた。特に近年では、水質悪化等が原因で設備の処理能力が不足してきているため、その解決策として、フィルタープレスに供給するスラリーを加温することにより、処理能力の向上を図ることも行われている。
【０００３】
また脱水性能を更に向上させるべく、濾板間の濾室内に設けられた濾布外面とこれに対向する濾板との間にダイアフラムを配し、ダイアフラムとこれに対向する濾板との間に流体室を形成し、流体供給ポンプを用いて前記流体室内に流体を供給する流体供給手段を設け、スラリーを濾布内面側に加圧供給して、濾布を介してスラリーを濾過し、濾過ケーキを形成した後、前記流体供給手段により前記流体室内へ流体を供給し、この流体の供給圧によりダイアフラムが濾布を介して濾過ケーキを圧搾することも提案されている（特許文献１参照）。
【０００４】
さらに、圧搾後、加温した流体を流体室内へ供給し、圧搾を継続しつつダイアフラム内の加温流体の熱量を圧搾ケーキに伝え、圧搾ケーキを加温するとともに、濾室内を真空ポンプにより吸引して負圧化し、圧搾ケーキ内に残留する水分を気化させ濾室外に排出する真空加熱乾燥工程を行うことも提案されている（特許文献１参照）。
【０００５】
しかしながら、従来の技術には次のような問題点がある。
圧搾工程における脱水性能を向上しようとすると、圧搾圧を高めることになるが、過度の圧力で圧搾を行うと、圧搾ケーキが圧密化し、水分がケーキ内部から外部へ逃げ出す通路が少なくなる或いは細くなるため、後の真空加熱乾燥において蒸気がケーキ外部へ逃げ出すことができなくなり、脱水性能が低下していた。
この問題は、圧搾ケーキが圧密化しないように低い圧力で圧搾を行えば回避できるが、その場合、圧搾に長時間を要することになり、圧搾効率が低下する。
【０００６】
また、従来は、真空加熱乾燥工程においてもケーキの圧搾を行っており、この圧搾によって真空加熱乾燥中においても圧密化を進行させていたため、この点でも脱水性能の低下を来たしていた。
【特許文献１】特開２０００−１５３１０３号公報
【発明の開示】
【発明が解決しようとする課題】
【０００７】
したがって、本発明の主たる課題は、濾過、圧搾および真空加熱乾燥によるスラリーの脱水に際して、圧搾効率を低下させずに、更なる脱水性能の向上を図ることにある。
【課題を解決するための手段】
【０００８】
上記課題を解決した本発明は次記のとおりである。
＜請求項１＞
濾布を介してスラリーを濾過し、濾過ケーキを形成する濾過工程と、
濾過ケーキを濾布を介して圧搾し、圧搾ケーキを形成する圧搾工程と、
濾布を介して圧搾ケーキを加温しつつ負圧下に保持し乾燥する、真空加熱乾燥工程とを含む、スラリーの脱水方法であって、
前記圧搾工程にて、所定の脱水レベルまで脱水時圧力で圧搾を行った後、圧搾終了にかけて圧搾の圧力を圧密化が実質的に起こらない非圧搾圧力まで漸減させる、ことを特徴とするスラリーの脱水方法。
【０００９】
（作用効果）
このように、圧搾圧を圧搾終了にかけて漸減することにより、より水分が多く圧密化し難い状況では高圧で圧搾を行い、水分が少なくなり圧密化が進行し易い状況では低圧で圧搾を行うことができ、圧搾効率を犠牲にせずに十分な圧搾性能を発揮させることができ、しかも、圧密化が進行し難いため、後の真空加熱乾燥工程における脱水性能を向上させることができる。なお、本発明における濾過工程、圧搾工程及び真空加熱乾燥工程は、その２つ以上を同時に実行することができ、したがって、本発明には濾過工程の途中で圧搾工程を開始する、圧搾工程の途中から真空加熱乾燥工程を開始するといったことも可能である。
【００１０】
＜請求項２＞
圧搾ケーキの圧密化が実質的に起こらない非圧搾圧力で前記濾布を圧搾ケーキに密着させた状態を維持しつつ、前記真空加熱乾燥工程を行う、請求項１記載のスラリーの脱水方法。
【００１１】
（作用効果）
前述のとおり、従来は、真空加熱乾燥工程で圧搾を併用していたが、その場合、圧密化の進行により蒸気の逃げ道が少なくなる或いは細くなる事態が発生していた。この問題点に対して、当初、単に圧搾を行わないようにすれば足りると考えられたが、その場合、濾布と圧搾ケーキとの密着性が低下する結果、伝熱性能が低下し、加温効率が低下するという新たな問題点が発生することが判明した。そこで、本請求項２記載の発明は、圧搾ケーキの圧密化が実質的に起こらない程度の弱い圧力で濾布と圧搾ケーキとの密着を確保することによって、加温効率を低下させずに真空加熱乾燥工程における圧密化の進行をも防止したものである。
【００１２】
＜請求項３＞
濾板間の濾室内に濾布を設け、前記濾布外面とこれに対向する濾板との間にダイアフラムを配し、スラリーを前記濾布内面側に供給するスラリー供給手段を設け、前記ダイアフラムとこれに対向する濾板との間に流体室を形成し、この流体室内に流体を供給する流体供給手段を設け、かつ前記濾室内を負圧化する負圧化手段を設けてなるフィルタープレスを用い；
前記スラリー供給手段によってスラリーを濾布内面側に加圧供給して、濾布を介してスラリーを濾過し、濾過ケーキを形成する濾過工程と、
流体を加温せずに前記流体供給手段により前記流体室内へ供給し、この非加温流体の供給圧により前記ダイアフラムが前記濾布を介して前記濾室内の濾過ケーキを圧搾し、この圧力で所定の脱水レベルまで圧搾を行った後、圧搾終了にかけて圧搾の圧力を圧搾ケーキの圧密化が実質的に起こらない非圧搾圧力まで漸減させて、圧搾ケーキを形成する圧搾工程と、
加温した流体を前記流体供給手段により前記流体室内へ供給し、この加温流体の供給圧により前記ダイアフラムが前記濾布を圧搾ケーキに密着させるが圧搾ケーキの圧密化が実質的に起こらない状態とし、これにより加温流体の熱量を圧搾ケーキに伝えるとともに、この圧搾ケーキの加温を行いつつ前記負圧化手段により前記濾室内を負圧下に保持し乾燥する真空加熱乾燥工程と、
を含むことを特徴とする、スラリーの脱水方法。
【００１３】
（作用効果）
本項記載の発明は、フィルタープレスを用いた脱水への応用例である。従来のフィルタープレスでは、圧搾に用いる流体および真空加熱乾燥に用いる流体ともに加温流体を用いていたが、圧搾工程で加温を行う場合、その熱量は圧搾により多量に排出される濾液とともに系外へ排出されてしまうため、継続的な加温が必要となり、エネルギー消費が嵩むという問題点があった。また、圧搾圧及び温度の双方を高く設定すると、ゴム製または樹脂製のダイアフラムや樹脂製濾板を用いる場合には、それらの寿命が短くなるという問題点も有していた。
【００１４】
前述のとおり、本発明ではケーキの圧密化を防止して脱水性能を向上させるものであるため、圧搾における加熱を省略しても十分な脱水性能を発揮できる。そこで、本項記載の発明では、圧搾工程で用いる流体を加温しないこととしたものである。
【００１５】
＜請求項４＞
濾板間の濾室内に濾布を設け、前記濾布外面とこれに対向する濾板との間にダイアフラムを配し、スラリーを前記濾布内面側に供給するスラリー供給手段を設け、前記ダイアフラムとこれに対向する濾板との間に流体室を形成し、流体供給ポンプを用いて前記流体室内に流体を供給する流体供給手段を設け、かつ前記濾室内を負圧化する負圧化手段を設けてなるフィルタープレスを用い；
前記スラリー供給手段によってスラリーを濾布内面側に加圧供給して、濾布を介してスラリーを濾過し、濾過ケーキを形成する濾過工程と、
流体を前記流体供給手段により前記流体室内へ供給し、この流体の供給圧により前記ダイアフラムが前記濾布を介して前記濾室内の濾過ケーキを圧搾し、この圧力で所定の脱水レベルまで圧搾を行った後、圧搾終了にかけて圧搾の圧力を圧搾ケーキの圧密化が実質的に起こらない非圧搾圧力まで漸減させて、圧搾ケーキを形成する圧搾工程と、
加温した流体を前記流体供給手段により前記流体室内へ供給し、この加温流体の供給圧により前記ダイアフラムが前記濾布を圧搾ケーキに密着させるが圧搾ケーキの圧密化が実質的に起こらない状態とし、これにより加温流体の熱量を圧搾ケーキに伝えるとともに、この圧搾ケーキの加温を行いつつ前記負圧化手段により前記濾室内を負圧下に保持し乾燥する真空加熱乾燥工程とを含み、かつ
前記真空加熱乾燥工程で用いる前記流体供給手段の流体供給ポンプとして、前記圧搾工程で用いる前記流体供給手段の流体供給ポンプとは別個で且つより消費エネルギーの少ないポンプを用いる、
ことを特徴とする、スラリーの脱水方法。
【００１６】
（作用効果）
従来は、圧搾工程および真空加熱乾燥工程ともに、加温流体を用いて圧搾を行っていたため、加温流体の供給ポンプの消費エネルギーが嵩んでいた。
【００１７】
これに対して、前述のとおり、本発明では真空加熱乾燥において必要となる加温流体の供給圧は低くて足り、かつ真空加熱乾燥では濾液排出による熱量の排出も著しく少ないため、新たな加温流体を継続的に供給する必要もない。
【００１８】
そこで、本項記載の発明は、真空加熱乾燥工程で用いる流体供給ポンプと、圧搾工程で用いる流体供給ポンプとを個別化し、かつ前者のポンプとして消費エネルギーのより少ないポンプを用いることとし、真空加熱乾燥工程における消費エネルギーの削減を図ったものである。
【００１９】
＜請求項５＞
濾板間の濾室内に濾布を設け、前記濾布外面とこれに対向する濾板との間にダイアフラムを配し、スラリーを前記濾布内面側に供給するスラリー供給手段を設け、前記ダイアフラムとこれに対向する濾板との間に流体室を形成し、前記流体室内に流体を供給する流体供給手段を設け、かつ前記濾室内を負圧化する負圧化手段を設けてなるフィルタープレス装置であって；
前記スラリー供給手段によってスラリーを濾布内面側に加圧供給して、濾布を介してスラリーを濾過し、濾過ケーキを形成する濾過工程と、
流体を前記流体供給手段により前記流体室内へ供給し、この流体の供給圧により前記ダイアフラムが前記濾布を介して前記濾室内の濾過ケーキを圧搾し、この圧力で所定の脱水レベルまで圧搾を行った後、圧搾終了にかけて圧搾の圧力を圧搾ケーキの圧密化が実質的に起こらない非圧搾圧力まで漸減させて、圧搾ケーキを形成する圧搾工程と、
加温した流体を前記流体供給手段により前記流体室内へ供給し、この加温流体の供給圧により前記ダイアフラムが前記濾布を圧搾ケーキに密着させた状態とし、これにより加温流体の熱量を圧搾ケーキに伝えるとともに、この圧搾ケーキの加温を行いつつ前記負圧化手段により前記濾室内を負圧下に保持し乾燥する真空加熱乾燥工程と、
を行うように構成したことを特徴とする、フィルタープレス装置。
【００２０】
（作用効果）
請求項１記載の発明と同様の作用効果を奏する。
【００２１】
＜請求項６＞
前記真空加熱乾燥工程で、前記加温流体の供給圧により前記ダイアフラムが前記濾布を圧搾ケーキに密着させるに際し、圧搾ケーキの圧密化が実質的に起こらないような供給圧で、前記加温流体を流体室に供給するように構成した、請求項５記載のフィルタープレス装置。
【００２２】
（作用効果）
請求項２記載の発明と同様の作用効果を奏する。
【００２３】
＜請求項７＞
前記圧搾工程で、流体を加温せずに前記流体供給手段により前記流体室内へ供給し、この非加温流体の供給圧により前記圧搾を行う、請求項５または６記載のフィルタープレス装置。
【００２４】
（作用効果）
請求項３記載の発明と同様の作用効果を奏する。
【００２５】
＜請求項８＞
前記流体供給手段は、流体供給ポンプを用いて前記流体室内に流体を供給するものであり、前記真空加熱乾燥工程で用いる前記流体供給手段の流体供給ポンプと、前記圧搾工程で用いる前記流体供給手段の流体供給ポンプとを個別に備え、前記真空加熱乾燥工程で用いる流体供給ポンプは、前記圧搾工程で用いる流体供給ポンプより消費エネルギーの少ないポンプとなした、請求項５〜７のいずれか１項に記載のフィルタープレス装置。
【００２６】
（作用効果）
請求項４記載の発明と同様の作用効果を奏する。
【発明の効果】
【００２７】
以上のとおり本発明によれば、濾過、圧搾および真空加熱乾燥によるスラリーの脱水に際して、圧搾効率を低下させずに、更なる脱水性能の向上を図ることができるようになる、等の利点がもたらされる。
【発明を実施するための最良の形態】
【００２８】
以下、本発明の一実施形態について添付図面を参照しながら詳説する。
（第１の実施形態）
図１は、本発明に係るフィルタープレス装置例１のフロー図を示しており、この装置１は圧搾型フィルタープレス２によりスラリーの脱水を行うものである。図２は圧搾型フィルタープレス２の概略的正面図を示している。
【００２９】
本例のフィルタープレス２は、いわゆる凹版型に属するものであり、濾板の配列形態からは水平型に属するものである。すなわち、水平方向に平行に並べられた多数の濾板２Ａ，２Ａ…を有し、各濾板２Ａには隣の濾板２Ａと対向する面に凹部２ａが形成されており、隣り合う濾板２Ａ，２Ａ間に、１対の濾布２Ｂ，２Ｂがそれぞれ吊り下げられている。これら濾板２Ａ，２Ａ…は、水平方向に伸縮するシリンダー２Ｓにより相互間隔が調節されるように構成されており、このシリンダー２Ｓの伸張により隣り合う濾板２Ａ，２Ａが接触して締め付けられ、隣り合う濾板２Ａ，２Ａ間において１対の濾布２Ｂ，２Ｂにより取り囲まれた濾室２Ｃが形成される。この濾室２Ｃ内にはスラリー供給路３Ｄｉが通じている。
【００３０】
また、濾布２Ｂ，２Ｂの各外面と、これにそれぞれ対面する濾板面２Ａ，２Ａにおける凹部２ａ，２ａとの間に、表面に濾液溝２ｅ，２ｅ…が形成された１対のダイアフラム２Ｅ，２Ｅがそれぞれ配され、このダイアフラム２Ｅ，２Ｅと濾板面２Ａ，２Ａとの間に流体室２Ｄ，２Ｄがそれぞれ形成されている。
【００３１】
この流体室２Ｄ，２Ｄ内には、内部流体供給路２Ｆｉ，２Ｆｉおよび内部流体排出路２Ｇｉ，２Ｇｉがそれぞれ通じている。したがって、流体室２Ｄ，２Ｄ内への流体Ｆの供給・排出が可能なようになっている。また、ダイアフラム２Ｅ，２Ｅの濾液溝２ｅ，２ｅ…とこれに対面する濾布外面２Ｂ，２Ｂとの隙間ＳＰ，ＳＰ（濾液溝２ｅ，２ｅ…内含む）には、その下端部において内部濾液排出路２Ｈｉ，２Ｈｉがそれぞれ通じており、上端部において内部圧縮空気供給路２Ｊｉ，２Ｊｉがそれぞれ通じている。
【００３２】
本例１は、かかるフィルタープレス２に対してスラリーを供給するスラリー供給手段３を備える。図示のスラリー供給手段３は、スラリー貯留槽３Ａと、スラリー貯留槽３Ａ内のスラリーＳをスラリー供給路３Ｄｉを介して濾室２Ｃ内に加圧供給するスラリー供給ポンプ３Ｐとを備えるものである。スラリー供給路３Ｄｉにおけるスラリー供給ポンプ３Ｐの出側にはスラリー供給弁３Ｖｉが設けられ、このスラリー供給弁３Ｖｉと濾室２Ｃとの間には、濾室２Ｃ内の圧力を計測するための濾室内圧力センサ３ｓが設けられている。
【００３３】
また、本例１は、フィルタープレス２に対してダイアフラム２Ｅ，２Ｅ…による圧搾を行うべく、流体（水等）Ｆを前述の流体室２Ｄ内へ供給する流体供給手段４を備える。図示の流体供給手段４は、流体貯留槽４Ａと、その貯留流体Ｆを加温する流体加温手段４Ｂ（例えば蒸気吹込み装置）および貯留流体Ｆを攪拌する攪拌装置４Ｃと、流体貯留槽４Ａ内の流体Ｆを外部流体供給路２Ｆｏおよび内部流体供給路２Ｆｉを介して流体室２Ｄ内に加圧供給する流体供給ポンプ４Ｐとを備えている。また、外部流体供給路２Ｆｏには流体供給弁４Ｖｉが配設されるとともに、この流体供給弁４Ｖｉの流体室２Ｄ側には流体供給圧センサ４ｓが設けられている。
【００３４】
流体室２Ｄ内には内部流体排出路２Ｇｉが連通されており、この内部流体排出路２Ｇｉは流体返送路５を介して流体貯留槽４Ａに連通されている。流体返送路５には、返送流量調整弁５Ｖが設けられるとともに、その流体室２Ｄ側には流量センサ５ｓが設けられており、この流量センサ５ｓによる検出流量に応じて返送流量調整弁５Ｖの開度が自動調整されるようになっている。
【００３５】
また、本例１では、フィルタープレス２の内部濾液排出路２Ｈｉ，２Ｈｉが外部濾液排出路２Ｈｏを介して濾液貯留槽８Ｃに連通している。この外部濾液排出路２Ｈｏにおける濾液貯留槽８Ｃの上流側には凝縮槽８Ａが設けられており、濾液および気化液分は凝縮槽８Ａに一時的に貯留された後、所定量貯留された時点で濾液貯留槽８Ｃに供給されるようになっている。また濾液量を検出するために、凝縮槽８Ａの入側には積算流量センサ８ｓが設けられている。この積算流量センサ８ｓに代えて、濾液量計測手段として濾液貯留槽８Ａ内にレベルセンサを設置し、液面レベルから濾液量を計測することもできる。さらに、本装置例１では、凝縮槽８Ａに対して真空ポンプ８Ｄが連通されており、この真空ポンプ８Ｄを作動させることにより、凝縮槽８Ａ、濾液排出路２Ｈｏ，２Ｈｉを介して、ダイアフラム２Ｅの濾液溝２ｅと濾布２Ｂ外面との隙間ＳＰ，ＳＰを負圧にできるように構成されている。
【００３６】
さらにまた本例１では、ダイアフラム２Ｅの濾液溝２ｅと濾布２Ｂ外面との隙間ＳＰ，ＳＰに連通する内部圧縮空気供給路２Ｊｉが設けられており、この内部圧縮空気供給路２Ｊｉを通じて圧縮空気を供給することにより、濾室内の濾液を吹き飛ばす、いわゆるブロー工程を行うことができるように構成されている。
【００３７】
本発明では、上記各構成以外にも、濾室内に洗浄液を供給するための手段等、公知のフィルタープレス装置の構成を採用することができる。
【００３８】
次に、上述のフィルタープレス装置を用いた本発明に係る脱水手順について説明する。なお、この脱水手順を実行するためにフィルタープレス装置にコンピュータ等の制御装置を備え付けることができる。
【００３９】
スラリーの脱水に際しては、主に濾過工程、圧搾工程、真空加熱乾燥工程とを行う。濾過工程においては、先ずシリンダー２Ｓ（図２のみ図示）の伸張により濾板２Ａ，２Ａ…を締め付けて閉枠し、図３に示すように濾室２Ｃを形成する。しかる後、スラリー供給弁３Ｖｉを開けてスラリー供給ポンプ３Ｐを作動させる。これにより、スラリー貯留槽３Ａに貯留されていたスラリーＳが、スラリー供給路３Ｄｉを介して濾室２Ｃ内に加圧供給される。このスラリーＳは、適宜の加温手段により予め加温されていても良い。濾室２Ｃ内のスラリーＳ１は、供給圧力によって濾液のみが濾布２Ｂ，２Ｂを通り、濾過が進行する。その結果、濾室２Ｃ内には濾過ケーキＫ１が形成される。濾液はダイアフラム２Ｅ，２Ｅ表面の濾液溝２ｅ，２ｅ…を通り、内部濾液排出路２Ｈｉ，２Ｈｉならびに外部濾液排出路２Ｈｏを介して凝縮槽８Ａ内に排出される。所定時間経過したならばスラリー供給ポンプ３Ｐを停止させ、スラリー供給弁３Ｖｉを閉じて濾過工程を終了する。
【００４０】
この濾過工程がある程度まで進行した時点で、あるいは濾過工程が終了した後に、流体供給弁４Ｖｉを開け、流体供給ポンプ４Ｐを作動させて、圧搾工程を開始する。これにより、図４に示すように予め流体加温手段４Ｂにより加温された温水等の加温流体Ｆが、流体貯留槽４Ａから外部流体供給路２Ｆｏ、内部流体供給路２Ｆｉ，２Ｆｉを介して流体室２Ｄ，２Ｄ内に供給され、さらに流体返送路５を介して流体貯留槽４Ａへ返送される。つまり加温流体Ｆは、流体貯留槽４Ａと流体室２Ｄ，２Ｄとの間を循環され、流体室２Ｄ，２Ｄ内には所定温度の流体が供給される。流体室２Ｄ，２Ｄ内に加温流体Ｆが供給されると、その供給圧（流体室内圧）に応じてダイアフラム２Ｅ，２Ｅが膨出され、濾布２Ｂ，２Ｂを介して濾過ケーキＫ１が圧搾され、図４に示すようにさらに脱水された圧搾ケーキＫ２が形成される。また、加温流体Ｆの熱量がダイアフラム２Ｅ，２Ｅ及び濾布２Ｂ，２Ｂを介して圧搾中のケーキに伝達され、脱水が促進される。ケーキ中から排出される濾液は、濾過工程と同様に、ダイアフラム２Ｅ，２Ｅの濾液溝２ｅ，２ｅ…を通り、内部濾液排出路２Ｈｉ，２Ｈｉならびに外部濾液排出路２Ｈｏを介して凝縮槽８Ａ内に排出される。
【００４１】
かかる圧搾工程において、本発明では、所定の脱水レベルまで脱水時圧力で圧搾を行った後、圧搾終了にかけて圧搾の圧力を圧搾ケーキの圧密化が実質的に起こらない非圧搾圧力まで漸減させる。このために本実施形態では、濾室内圧力が圧搾開始当初は圧搾圧（流体供給圧もしくは流体室内圧）と同等であるのに対して経時的に低下する現象を利用する。すなわち、濾室内圧力を圧力センサ３ｓにより検出し、この検出圧力に基づき、濾室内圧力と圧搾圧とが同等となるように流体供給弁４Ｖｉの開度を調整する。この場合、更に流体供給圧センサ４ｓによる検出結果に基づき、調整圧と流体供給圧との間にずれが発生していないかを検出し、ずれが発生しているときには流体供給弁４Ｖｉの開度を調整し直す。この一方で、かかる入側圧力調整に伴い流体の供給流量が低下すると、流体返送路５の流量センサ５ｓにより検出される流体排出流量に基づき、予め定めた設定流量となるように返送流量調整弁５Ｖの開度が調整される。
【００４２】
かくして、所定の脱水レベルまで比較的高い脱水時圧力で圧搾を行った後、圧搾終了にかけて圧搾の圧力を圧搾ケーキの圧密化が実質的に起こらない非圧搾圧力まで漸減させることができる。圧搾工程は、処理対象物にもよるが、０．５〜３時間、特に１〜２時間程度とするのが好適である。
【００４３】
圧搾圧力が非圧搾圧力まで減少したならば、次に真空加熱乾燥工程を開始する。この開始時点は、経過時間や、濾室内圧力センサ３ｓ、流体供給圧センサ４ｓ、濾液の積算流量センサ８ｓ等による濾液量によって決定することができる。
【００４４】
真空加熱乾燥工程は、請求項２記載の発明に従って、圧搾圧力を圧搾ケーキの圧密化が実質的に起こらない非圧搾圧力で、濾布を圧搾ケーキに密着させた状態を維持しつつ行うのが好ましい。この場合、圧搾工程で圧搾圧力が非圧搾圧力まで減少したならば、その圧力を維持するべく流体供給弁４Ｖｉおよび返送流量調整弁５Ｖの開度を固定し、また加温流体の供給を維持しつつ、真空ポンプ８Ｄを作動させるのが好ましいが、圧搾工程と真空加熱乾燥工程の間において、ケーキ洗浄等の補助的な工程を行う場合等、必要に応じて、加温流体の供給を停止し圧搾圧力を開放した後に、再び非圧搾圧力まで上昇させることもできる。さらに、圧搾圧力が非圧搾圧力まで減少する前の圧搾途中時点から真空ポンプ８Ｄを作動させ、真空加熱乾燥工程を開始し、その後圧搾圧力が非圧搾圧力まで減少した後まで真空加熱乾燥工程を継続することもできる。さらにまた、圧搾圧力が非圧搾圧力まで減少し、この非圧搾圧力を所定時間維持した後に、真空ポンプ８Ｄを作動させて真空加熱乾燥工程を開始することもできる。
【００４５】
この場合において、脱水時圧力および非圧搾圧力は脱水対象や機械の種類・性能等に応じて適宜定めることができる。フィルタープレスの場合、図７に示すように、脱水時圧力を０．７〜１．５ＭＰａとし、非圧搾圧力を０．１〜０．７ＭＰａ、特に０．２〜０．５ＭＰａとするのが好適である。
【００４６】
かくして、圧搾工程において水分が比較的に多く圧密化し難い状況では高圧で圧搾を行い、水分が少なくなり圧密化が進行し易い状況では低圧で圧搾を行うことができ、圧搾効率を犠牲にせずに十分な圧搾性能を発揮させることができ、しかも、圧密化が進行し難いため、真空加熱乾燥工程における乾燥性能が向上する。また真空加熱乾燥工程では、圧搾ケーキの圧密化が実質的に起こらない非圧搾圧力で、濾布を圧搾ケーキに密着させた状態を維持するため、加温効率を低下させず且つ圧密化も進行させずに、ケーキ内に蒸気の排出流路が確保された状態で効率良く乾燥を行うことができる。
【００４７】
所定の時間が経過したならば、流体供給ポンプ４Ｐおよび真空ポンプ８Ｄを停止させて真空加熱乾燥工程を終了させる。この際、ダイアフラム２Ｅ，２Ｅが収縮し、これに伴い、流体が流体室２Ｄから排出される。
【００４８】
しかる後、脱水ケーキＫ３が濾室２Ｃ内に形成されている（図５参照）のでこれの排出工程にはいる。ケーキ排出工程ではまず、図２に示すように、シリンダー２Ｓが収縮し、これに連結された濾板２Ａ，２Ａ…が順次牽引され、各濾板間２Ａ，２Ａが一定間隔となるように開枠される。この時、図６に示すように、濾布２Ｂ，２Ｂにより取り囲まれた濾室２Ｃ内に形成された脱水ケーキＫ３は自重により、濾布２Ｂ，２Ｂから剥離し排出される。通常はこの開枠だけで脱水ケーキＫ３の剥離が可能であるが、剥離性が悪い場合には、濾布２Ｂ，２Ｂを支持する濾布サポートバー２Ｋを揺らす手段を設けておき、これにより濾布２Ｂ，２Ｂを揺らすことにより、濾布２Ｂ，２Ｂに付着した脱水ケーキを積極的に剥離するように構成することができる。
【００４９】
（第２の実施形態）
前述したように、従来のフィルタープレスでは、圧搾に用いる流体および真空加熱乾燥に用いる流体ともに加温流体を用いていたが、圧搾工程で加温を行う場合、その熱量は圧搾により多量に排出される濾液とともに系外へ排出されてしまうため、継続的な加温が必要となり、エネルギー消費が嵩む。また、圧搾圧及び温度の双方を高く設定すると、ゴム製のダイアフラムや樹脂製濾板を用いる場合には、それらの寿命が短くなるという問題点もある。
【００５０】
よって、圧搾工程で用いる流体を加温しないようにするのが好ましい。具体的には、図８に示すように、流体返送路５における返送流量調整弁５Ｖと流体貯留槽４Ａとの間から、流体貯留槽４Ａと流体供給ポンプ４Ｐとの間の流路に連通するバイパス路６を設けるとともに、流体返送路５及びバイパス路６におけるバイパス部位よりも下流側に切替弁６Ｖ，６Ｖをそれぞれ設け、圧搾工程全体にわたり、あるいは圧搾工程中に真空加熱乾燥を開始する場合にはその前において、切替弁６Ｖをバイパス路６側のみ連通させて、流体を加温せずに循環利用するように構成できる。この場合、流体貯留槽４Ａの流体加温手段４Ｂは、真空加熱乾燥工程に入る前の貯留流体Ｆの加温のみを行えば足りるため、従来よりも省エネルギーな脱水が可能になる。しかも、本発明の圧搾圧の漸減による脱水性能の向上により、従来のように圧搾工程で濾室内のケーキを加温しなくても、十分な脱水性能の向上を図ることができる。
【００５１】
この図８に示す形態では、第１の実施形態に対して新たな構成を必要とするが、第１の実施形態において、返送流量調整弁５Ｖを閉じた状態で圧搾工程を行い、流体を循環させないようにすると、全く構成変更なしに、供給流体を非加温にすることができる。この場合、圧搾圧は、流体供給ポンプ４Ｐの制御および流体供給弁４Ｖｉの開度調整により変化させることができる。
【００５２】
（第３の実施形態）
他方、前述のとおり、本発明では真空加熱乾燥において必要となる加温流体の供給圧は低くて足り、かつ真空加熱乾燥では濾液排出による熱量の排出も著しく少ないため、新たな加温流体を継続的に供給する必要もない。
【００５３】
そこで、図９に示すように、圧搾工程用の流体供給ポンプ４Ｐと、真空加熱乾燥工程用の流体供給ポンプ８とを個別に設け、かつ真空加熱乾燥工程用の流体供給ポンプ８として消費エネルギーのより少ない小型ポンプを用いることとするのが好ましい。具体的には、前述の第１の実施形態において、外部流体供給路２Ｆｏにおける流体供給弁４Ｖｉと流体貯留槽４Ａとの間に、圧搾工程用の流体供給ポンプ４Ｐと、真空加熱乾燥工程用の流体供給ポンプ８とを並列に接続し、動作させるポンプを工程別に切り替えることで実現できる。
【００５４】
なお、本第３の実施形態は、第２の実施形態と組み合わせて用いることができ、その場合、消費エネルギーを更に削減できる。
【００５５】
（その他）
（イ）濾室内圧力や流体排出流量を検出し、この検出結果に応じて流体供給圧力や流体排出流量を変化させているが、予め定めたスケジュールに従って経時的に流体供給圧力や流体排出流量を変化させることもできる。さらに、これらを組み合わせて、濾室内圧力や流体排出流量を検出し、この検出結果に応じて予め定めた経時的スケジュールの範囲内で流体供給圧力や流体排出流量を変化させるようにすることもできる。
【００５６】
（ロ）本発明においては、上記実施形態のように１対の濾布２Ｂ，２Ｂの両外側にそれぞれダイアフラム２Ｅ，２Ｅを配する必要はなく、１対の濾布の一方の濾布の外側にのみダイアフラムを配し、他方の濾布の外側面には濾板が対面するようにすることもできる、この場合、その他方の濾布外面と対面する濾板面に濾液溝を形成する（図示せず）。上記実施形態のように２枚の濾布にそれぞれ対応して２枚のダイアフラムを設ける場合には、流体室は２室形成されるが、ダイアフラムが１枚の場合には１室のみの流体室となる。
【００５７】
（ハ）上記実施形態では、スラリーを濾室下端部から供給するアンダーフィードとしているが、スラリーを濾室上端部から供給するアッパーフィードや、濾室の高さ方向の略中央かつ幅方向の略中央からスラリーを供給するセンターフィードとすることもできる。
【００５８】
（ニ）濾板は、金属または樹脂により形成することができ、またダイアフラム２Ｅ，２Ｅはゴム材または樹脂材で形成することができる。ダイアフラム２Ｅ，２Ｅにおける少なくとも濾布を介して濾室と対応する部分を、熱伝導性の高い材料、例えば可撓性を有する程度の薄さの鋼板（特に防錆性の観点からステンレス鋼板が好ましい）などにより形成するのも好ましい形態である。例えば、実質的に前述の加熱効果に寄与しないダイアフラムの外縁部分を断熱材等の熱伝導性の低い可撓性材料で形成し、実質的に加熱効果に寄与する中央部分を金属等の熱伝導性の高い材料で形成することもできる。
【００５９】
（ホ）図示形態のフィルタープレスは濾布吊り下げ型であるが、本発明は濾布走行型のフィルタープレスにも適用可能である。
【００６０】
（ヘ）さらに、本発明においては、前述具体例における弁の開閉やポンプの始動・停止、シリンダーによる閉枠・開枠等は、適宜の制御装置により自動制御で行わしめることができる。
【００６１】
（ト）上記実施形態において、圧搾工程が終了した後、続いてブロー工程を行うことを推奨する。本ブロー工程においては、図５に示すように、図示しないコンプレッサーからの圧縮空気を、内部圧縮空気供給路２Ｊｉ，２Ｊｉを介して、濾布２Ｂ，２Ｂとダイアフラム２Ｅ，２Ｅとの間に供給し、ダイアフラム２Ｅ，２Ｅの濾液溝２ｅ，２ｅに残留する濾液を、内部濾液排出路２Ｈｉ，２Ｈｉ、外部濾液排出路２Ｈｏを介して濾液貯留槽８Ｃへブローする。図示しないが、適宜の段階で、他の配管内の残留液体の排出を目的としたブローも行うことができる。
【産業上の利用可能性】
【００６２】
本発明は、スラリーの種類や脱水機の構造に限定されるものではなく、広範な用途に適用できるものであり、顔料、染料、ファインケミカル製品、医薬品等の工業製品（脱水した固形分が製品となるもの）、工場廃水等の減容化またはリサイクル、水処理（上下水）の汚泥脱水等に適用できるものである。またフィルタープレスを用いた脱水に好適なものである。
【図面の簡単な説明】
【００６３】
【図１】第１の実施形態のフィルタープレス装置例を示すフロー図である。
【図２】フィルタープレスの正面図である。
【図３】フィルタープレスの要部を示す概略縦断面図である。
【図４】フィルタープレスの要部を示す概略縦断面図である。
【図５】フィルタープレスの要部を示す概略縦断面図である。
【図６】フィルタープレスの要部を示す概略縦断面図である。
【図７】圧搾圧力の変化例を示すグラフである。
【図８】第２の実施形態のフィルタープレス装置例を示すフロー図である。
【図９】第３の実施形態のフィルタープレス装置例を示すフロー図である。
【符号の説明】
【００６４】
１…フィルタープレス装置、２…フィルタープレス、３…スラリー供給手段、４…流体供給手段。